(57)【要約】【課題】撮影姿勢を崩さずに機能設定の変更ができる撮影装置を提供する。【解決手段】カメラ本体１１の頂面左端に撮影モードを選択するためのモードダイヤル２２を設ける。カメラ本体１１の頂面右端背面よりに、設定ダイヤル２３を設ける。カメラ本体１１の頂面において、設定ダイヤル２３よりも撮影光軸Ｌよりに、機能ダイヤル２６を配置する。機能ダイヤル２６では、モードダイヤル２２で選択される撮影モードに依存しない複数の機能の中の１つが選択される。設定ダイヤル２３を回転操作すると、機能ダイヤル２６で選択された機能の設定が変更可能である。【選択図】図１
2017032985.tif 000002
【特許請求の範囲】
【請求項１】
複数の項目からなる第１項目群から所定の項目を選択するための第１項目選択部材と、
前記第１項目選択部材で選択された項目に対応する設定を変更する第１設定変更部材と、
前記第１項目選択部材で選択される前記第１項目群とは別の複数の項目からなる第２項目群から所定の項目を選択する第２項目選択部材と、
前記第２項目選択部材により選択された項目に対応する設定を変更するための、前記第１設定変更部材とは別の第２設定変更部材とを備える
ことを特徴とする撮影装置。
【請求項２】
前記第１項目選択部材で選択された項目に対応する設定を変更する、前記第１設定変更部材および第２設定変更部材とは別の、第３設定変更部材を更に備えることを特徴とする請求項１に記載の撮影装置。
【請求項３】
前記第１設定変更部材、前記第２設定変更部材、前記第３設定変更部材はいずれも回転式の操作部材であり、各回転軸が互いに異なることを特徴とする請求項１または２に記載の撮影装置。
【請求項４】
前記第１項目選択部材、前記第２項目選択部材はいずれも回転式の操作部材であり、各回転軸が互いに異なることを特徴とする請求項１〜３の何れか一項に記載の撮影装置。
【請求項５】
露出モードを選択するための露出モード選択部材と、
前記露出モード選択部材で選択された露出モードに対応する露出に関する値を変更する露出値変更部材と、
前記露出モード選択部材で選択される露出モードとは別の複数の機能の中の１つを選択するための機能選択部材と、
前記機能選択部材により選択された機能に対応する、該機能の設定を変更するための、前記露出値変更部材とは別の設定変更部材とを備える
ことを特徴とする撮影装置。
【請求項６】
前記設定変更部材が、光学装置本体の右手把持部側に設けられることを特徴とする請求項５に記載の撮影装置。
【請求項７】
前記露出値変更部材が光学装置本体の右手把持部側に設けられる
ことを特徴とする請求項５または６に記載の撮影装置。
【請求項８】
前記設定変更部材および前記露出値変更部材の一方が、他方よりも撮影光学系の光軸側に、かつ低い位置に配置されることを特徴とする請求項７に記載の撮影装置。
【請求項９】
前記露出モード選択部材により選択された、前記露出モードとは別の露出モードに対応する露出に関する値を変更する、前記露出値変更部材とは別の露出値変更部材を備えることを特徴とする請求項５〜８の何れか一項に記載の撮影装置。
【請求項１０】
前記機能選択部材が、前記設定変更部材よりも撮影光学系の光軸側に設けられることを特徴とする請求項５〜９の何れか一項に記載の撮影装置。
【請求項１１】
前記機能選択部材が、前記設定変更部材よりも高い位置に配置されることを特徴とする請求項５〜１０の何れか一項に記載の撮影装置。
【請求項１２】
前記機能選択部材および前記設定変更部材が回転式の操作部材であり、前記機能選択部材の回転負荷が、前記設定変更部材の回転負荷よりも大きいことを特徴する請求項５〜１１の何れか一項に記載の撮影装置。
【請求項１３】
前記機能選択部材の厚さが、前記設定変更部材の厚さよりも厚いことを特徴とする請求項５〜１２の何れか一項に記載の撮影装置。
【請求項１４】
前記設定変更部材が右手把持部を把持する右手の親指で操作可能な位置に配置されること特徴とする請求項５〜１３の何れか一項に記載の撮影装置。
【請求項１５】
前記露出モード選択部材、前記機能選択部材は、いずれも回転式の操作部材であり、各回転軸が互いに異なることを特徴とする請求項５〜１４の何れか一項に記載の撮影装置。
【発明の詳細な説明】
【技術分野】
【０００１】
本発明は、露出モードの設定の他、露出モードとは独立した各種機能の設定が行える撮像装置に関する。
【背景技術】
【０００２】
写真撮影では、被写体の状態や撮影意図に応じて、適宜様々な基準・方法で露出調整やフラッシュの発光制御、画像処理等の設定（撮影モード設定）がカメラに対して行われる。近年のカメラでは、様々な撮影態様や撮影状況に応じて、ユーザが適宜撮影モードを選択することで、同態様、同状況に即した露出制御、発光制御を行うことができる。撮影モードには、例えば露出パラメータ（シャッター速度、絞り値、ＩＳＯ感度（増幅度））の設定方法に注目して分類される各優先モードや、被写体の種別（人物／遠景／マクロなど）に注目して分類されるピクチャーモード、撮影シーン（室内／夕景／夜景など）に注目して分類されるシーンモードなどの露出モードがあり、その数は極めて多い。そのため、これら露出モードと、その他の撮影機能設定（フラッシュの発光制御、記録方式（静止画／動画）、画像処理設定など）のうち、よく利用される代表的な設定を「撮影モード」としてカメラ本体に設けられたモードダイヤルにより選択可能とするのが一般的である（特許文献１参照）。
【先行技術文献】
【特許文献】
【０００３】
【特許文献１】特開２０１２−２５５９１５号公報
【発明の概要】
【発明が解決しようとする課題】
【０００４】
しかし、カメラでは、モードダイヤル上に設けた撮影モードの設定の他にも、様々な機能を設定することが可能である。これらの機能設定は、背面に設けられた液晶表示画面に機能設定メニューを表示して、カーソル移動キーの操作で各設定項目を順次設定することで行われる。そのため撮影中に機能設定を変更するには、ユーザは撮影を中断してファインダから目を外し、液晶表示を見ながら機能設定メニューの深い階層に潜る必要があり煩雑である。
【０００５】
本発明は、使いやすい撮影装置を提供することを目的としている。
【課題を解決するための手段】
【０００６】
本発明の撮影装置は、複数の項目からなる第１項目群から所定の項目を選択するための第１項目選択部材と、前記第１項目選択部材で選択された項目に対応する設定を変更する第１設定変更部材と、前記第１項目選択部材で選択される前記第１項目群とは別の複数の項目からなる第２項目群から所定の項目を選択する第２項目選択部材と、前記第２項目選択部材により選択された項目に対応する設定を変更するための、前記第１設定変更部材とは別の第２設定変更部材とを備えることを特徴としている。
【０００７】
撮影装置は、第１項目選択部材で選択された項目に対応する設定を変更する、第１設定変更部材および第２設定変更部材とは別の、第３設定変更部材を更に備えることが好ましい。第１設定変更部材、第２設定変更部材、第３設定変更部材はいずれも回転式の操作部材であり、各回転軸が互いに異なることが好ましい。同様に、第１項目選択部材、第２項目選択部材はいずれも回転式の操作部材であり、各回転軸が互いに異なることが好ましい。
【０００８】
また別の観点からの本発明の撮影装置は、露出モードを選択するための露出モード選択部材と、露出モード選択部材で選択された露出モードに対応する露出に関する値を変更する露出値変更部材と、露出モード選択部材で選択される露出モードとは別の複数の機能の中の１つを選択するための機能選択部材と、機能選択部材により選択された機能に対応する、該機能の設定を変更するための、露出値変更部材とは別の設定変更部材とを備えることを特徴としている。
【０００９】
このとき設定変更部材は、光学装置本体の右手把持部側に設けられることが好ましい。露出値変更部材は例えば光学装置本体の右手把持部側に設けられる。設定変更部材および露出値変更部材の一方は、他方よりも撮影光学系の光軸側に、かつ低い位置に配置されることが好ましい。露出モード選択部材により選択された、露出モードとは別の露出モードに対応する露出に関する値を変更する、露出値変更部材とは別の露出値変更部材を備えてもよい。
【００１０】
機能選択部材は、設定変更部材よりも撮影光学系の光軸側に設けられることが好ましい。また機能選択部材は、設定変更部材よりも高い位置に配置されることが好ましい。機能選択部材および設定変更部材は回転式の操作部材であり、機能選択部材の回転負荷は、設定変更部材の回転負荷よりも大きいことが好ましい。機能選択部材の厚さは、設定変更部材の厚さよりも厚いことが好ましい。
【００１１】
設定変更部材は右手把持部を把持する右手の親指で操作可能な位置に配置されることが好ましい。露出モード選択部材、機能選択部材は、いずれも回転式の操作部材であり、各回転軸が互いに異なることが好ましい。
【発明の効果】
【００１２】
本発明によれば、使いやすい撮影装置を提供することができる。
【図面の簡単な説明】
【００１３】
【図１】本発明の一実施形態であるカメラの背面斜視図である。
【発明を実施するための形態】
【００１４】
以下、本発明の実施の形態を、図面を参照して説明する。図１は、本発明の一実施形態であるカメラを背面上方から見た斜視図である。
【００１５】
カメラ（撮影装置）１０は、例えばデジタルカメラである。図１に示されるように、カメラ本体（光学装置本体）１１の背面には、ライブビューや撮影画像、メニュー画面、各種機能の設定状況や画像情報などが表示されるＬＣＤなどのモニタ１２が配置され、モニタ１２の上方には、ファインダ１３が配置される。すなわち、ユーザは、モニタ１２に表示されるライブビュー、あるいはファインダ１３内の被写体像を見ながら撮影を行う。
【００１６】
ファインダ１３の左隣りにはライブビューボタン１４、測光切替ボタン１５が配置され、ファインダ１３の右斜め上には、ファインダ１３の視度調整ダイヤル１６が配置される。また、モニタ１２の右側には、４方向ボタン、ＯＫボタン、ＩＮＦＯボタン、ＭＥＮＵボタン、測距点移動ボタン、再生ボタンなどのスイッチ群１７が配置される。背面において、スイッチ群１７の上方であってカメラ本体１１の頂面近くには、後電子ダイヤル（第１／第３設定変更部材、露出値変更部材）１８、およびＡＦボタン１９、ＡＥ−Ｌボタン２０が配置される。
【００１７】
なお、図１においてカメラ本体１１の右側は、右手把持部２１として構成され、スイッチ群１７の右側周縁部には、滑り止めのグリップゴム２１Ｒが貼られ、カメラ本体１１の前面側には、親指以外の右手の指で握る、前方に突き出したグリップ部２１Ｇが設けられる。
【００１８】
図１において、カメラ本体１１の頂面左端には、モードダイヤル（第１項目選択部材、露出モード選択部材）２２が設けられる。一方、カメラ本体１１の頂面右端には、背面側角部近くに設定ダイヤル（第２設定変更部材、設定変更部材）２３が設けられ、その左隣りには、ＬＣＤなどのステータス表示器２４が配置される。また、カメラ本体１１の頂面において、ステータス表示器２４の前方左側には、機能ダイヤル（第２項目選択部材、機能選択部材）２６と、機能ダイヤル２６の同軸下側に動画／静止画切替レバー２７が設けられている。
【００１９】
グリップ部２１Ｇの頂面には、カメラ本体１１側に露出補正ボタン２８とＩＳＯボタン２９が並列して配置され、それらの前方には、シャッターボタン３０が配置される。また、グリップ部２１Ｇの前面であって、シャッターボタン３０の直ぐ下には、前電子ダイヤル（第１／第３設定変更部材、露出値変更部材）３１が配置される。なお、図１において、カメラ１０の撮影光軸は直線Ｌで示される。
【００２０】
本実施形態のモードダイヤル２２は、複数の露出モードの中から１つの露出モードが選択可能である。図示例において露出モードは、被写体の状況（シーン）を自動認識し、最適と思われるプログラムラインと露出値や画像処理を自動設定するオートモード（ＡＵＴＯ）、所定プログラムラインにしたがってシャッター速度と絞り値（とＩＳＯ感度）を自動設定するプログラムモード（Ｐ）、任意に設定されたＩＳＯ感度に合わせて絞り値とシャッター速度を自動設定する感度優先モード（Ｓｖ）、任意に設定されたシャッター速度に合わせて絞り値を自動設定するシャッター優先モード（Ｔｖ）、任意に設定された絞り値に合わせてシャッター速度を自動設定する絞り優先モード（Ａｖ）、任意に設定された絞り値とシャッター速度に合わせてＩＳＯ感度を自動設定するシャッター＆絞り優先モード（ＴＡｖ）、シャッター速度と絞り値をユーザが手動設定するマニュアルモード（Ｍ）、バルブモード（Ｂ）、フラッシュ同調モード（Ｘ）などである。また、図示例のモードダイヤル２２には、ユーザがよく使う露出モードを含む設定を記憶可能なユーザーモード（Ｕ１〜Ｕ５）が用意されている。つまり、本実施形態では、露出モードに関する設定のみがモードダイヤル２２に割り当てられている。
【００２１】
後電子ダイヤル１８では、モードダイヤル２２により、Ａｖモード、ＴＡｖモード、Ｍモード、Ｘモードの何れかが選択されているときに、ダイヤルを左右に回転させることで絞り値の変更が行え、Ｓｖモードが選択されているときに、ＩＳＯ感度の変更が行える。一方、前電子ダイヤル３１では、モードダイヤル２２により、Ｔｖモード、ＴＡｖモード、Ｍモードの何れかが選択されているとき、ダイヤルを左右に回転させることでシャッター速度の変更が行える。なお、変更される設定値は、ファインダ１３内や、ステータス表示器２４等に表示される。
【００２２】
また、本実施形態では、カメラ１０の様々な機能のうち、モードダイヤル２２で選択される露出モードとは、別に設定変更可能な複数の機能、例えばモードダイヤル２２で選択される露出モードに依存しない機能（独立した機能）を１つ選択できる機能ダイヤル２６を、モードダイヤル２２とは別体に設けている。本実施形の機能ダイヤル２６では、例えばＷｉＦｉ機能（ＷＩ−ＦＩ）、画像サイズ選択機能（Ｃｒｏｐ）、手ぶれ補正機能（ＳＲ）、グリッド線表示機能（Ｇｒｉｄ）、ＨＤＲ撮影機能（ＨＤＲ）、ブラケット撮影機能（ＢＫＴ）、連写撮影スピード設定機能（ＣＨ／ＣＬ）、感度設定機能（ＩＳＯ）、露出補正機能（＋／−）、無効機能（●）が選択できる。また、設定ダイヤル２３は、機能ダイヤル２６で選択された機能の設定を変更するためのダイヤル式の操作部材である。
【００２３】
例えば、機能ダイヤル２６で、ＷｉＦｉ機能（ＷＩ−ＦＩ）、手ぶれ補正機能（ＳＲ）、グリッド線表示機能（Ｇｒｉｄ）の何れかが選択されているときには、ユーザは設定ダイヤル２３を操作することにより、これらの機能のオン／オフを切り替えることができる。また画像サイズ選択機能（Ｃｒｏｐ）が選択されているときには、設定ダイヤル２３を回転操作することで、画像サイズ（撮像素子の有効範囲）が例えばＡｕｔｏ／ＦＦ／ＡＰＳ−Ｃの間で循環的に選択され、ＨＤＲ撮影機能（ＨＤＲ）が選択されているときには、設定ダイヤル２３を回転操作することで、ＨＤＲ撮影が、例えばＡｕｔｏ／Ｔｙｐｅ１／Ｔｙｐｅ２／Ｔｙｐｅ３／Ａ−ＨＤＲ／ｏｆｆの間で循環的に選択される。ブラケット撮影機能（ＢＫＴ）が選択されているときには、設定ダイヤル２３を回転操作すると、ΔＥＶ値が変更され、連写撮影スピード設定機能（ＣＨ／ＣＬ）が選択されているときには、設定ダイヤル２３を回転操作することで、連写スピードが例えばＨ／Ｍ／Ｌの３段階から選択される。また感度設定機能（ＩＳＯ）では、ＩＳＯ値の変更、露出補正機能（＋／−）では、露出補正値を変更する。その他、手振れ補正機能を転用したモアレ緩和機能（ＬＰＳ）のＯｆｆ／Ｏｎ（強）／Ｏｎ（弱）が選択できても良い。なお、変更される設定値は、ファインダ１３内や、ステータス表示器２４等に表示される。
【００２４】
ユーザは、従来から撮影中に頻繁に変更されることが想定される露出モードとは別に、撮影中に頻繁に変更しつつ撮影したい機能があれば、その機能を機能ダイヤル２６で選択しておき、例えばモニタ１２やファインダ１３を覗きながら設定ダイヤル２３を操作することで、撮影作業を中断することなくそれらの機能設定を変更することができる。そのためユーザはスイッチ群１７等を利用したモニタ１２上のメニュー操作を行うことなく、カメラを構えた状態のまま、機能設定の変更を行いつつ撮影を継続することができる。
【００２５】
設定ダイヤル２３は、ユーザがカメラを構えた状態で（撮影姿勢のまま）、親指のみを使用して操作されることを前提にしている。一方、機能ダイヤル２６は、ユーザが構えを解き、ダイヤル部を指で摘まんで操作することを前提としている。そのため設定ダイヤル２３は、右手把持部２１を握る右手親指で容易に操作できる位置、すなわちカメラ本体１１の右手把持部２１の頂面後方角部に設けられる。これに対して機能ダイヤル２６は、撮影動作中に操作されるものではなく、指でダイヤル部を摘まんで操作することを前提にしているので、設定ダイヤル２３よりも撮影光軸Ｌより（右手把持部２１に対して離れた側）に配置される。
【００２６】
一方、機能ダイヤル２６は、ダイヤル部をユーザが摘み易いように、その位置を設定ダイヤル２３よりも高くしている。また、摘み易いように、その厚さも設定ダイヤル２３よりも厚く設定される。更に意図せずに機能選択が変更されないように、機能ダイヤル２６の回転負荷は、設定ダイヤル２３の回転負荷よりも相対的に大きい。上述の通り、設定ダイヤル２３は、使いやすさを最優先させた位置に配置すべきであるが、そうすることによって不用意に（意図せず）設定が変更されてしまうというデメリットがある。そこで本実施形態の機能ダイヤル２６では、設定ダイヤル２３の機能を無効にする無効機能（無効位置）（●）の選択が可能である。これは何れの機能の設定変更も予定していないにもかかわらず、設定ダイヤル２３が意図せず操作され、設定が変更されてしまうことを防止するためのものである。
【００２７】
後電子ダイヤル１８も設定ダイヤル２３と同様に、カメラを構えた状態で右手親指を用いて操作されることを前提としている。そのため後電子ダイヤル１８も右手把持部２１を握る右手親指で簡単に操作できるように、設定ダイヤル２３よりも撮影光軸Ｌ側、かつ低い位置に配置される。すなわち、設定ダイヤル２３のポジションからユーザが親指を左側へ少し傾けると後電子ダイヤル１８のポジションに親指が位置する。なお、後電子ダイヤル１８と設定ダイヤル２３の位置関係は、逆にすることも可能である。また、ここで「高い／低い」とは、長方形の撮像素子の受光面の短辺方向を上下方向、長辺方向が左右方向としている。
【００２８】
なお、モードダイヤル２２とは別体の機能ダイヤル２６を設けることには、以下のような効果もある。すなわち、従来は単一のダイヤル上に露出モード設定のための回転位置と、その他の機能設定のための回転位置とが混在して設けられていた。これに対して本実施形態では、モードダイヤル２２に露出モード設定を行うための回転位置のみを設け、モードダイヤル２２とは別体の機能ダイヤル２６に露出モード以外の機能設定を行うための回転位置を設けた。これにより、それまで混在していた露出設定とそれ以外の機能設定を、露出モード設定のための「軸」と露出モード以外の機能設定のための「軸」の２軸に分離し、従来よりもすっきりとユーザに両設定の違い（例えば独立性）を認識／実感させることができる。その結果、カメラのユーザインタフェース全体の世界観（例えば構成や仕様等）がよりシンプルとなり、ユーザが短時間で直感的に使用することができる「道具」となり得る。
【符号の説明】
【００２９】
１０  カメラ
１１  カメラ本体
１２  モニタ
１３  ファインダ
１７  スイッチ群
１８  後電子ダイヤル
２１  右手把持部
２１Ｇ  グリップ部
２１Ｒ  グリップゴム
２２  モードダイヤル
２３  設定ダイヤル
２４  ステータス表示器
２６  機能ダイヤル
３０  シャッターボタン
３１  前電子ダイヤル
Ｌ  撮影光軸
【図１】
2017032985.tif 000003